(57)【要約】【課題】  ペット（犬，猫など小動物）のストレスを簡単に飼い主が知ることができず、人体のストレス測定装置を提供していく中で、ユーザーからペットのストレスを計測する装置が欲しいいう要望があった。【解決手段】    前記目的を達成するために本発明の装置は、前足固定電極センサー１と、後足固定電極センサー２との電極間に微弱電流を通して刺激し、その電極間の生体ポテンシャルとして変換後、独自のペット用のアルゴリズムによって、ストレス値として演算する。次いで、その演算結果と表示について判りやすくタッチパネル付モニター部４に表示する。さらに、計測結果をプリンター部６で印刷できるものとした。【選択図】      図１
2007252480.tif 000002
【特許請求の範囲】
【請求項１】
犬，猫など小動物のストレスを計測する装置であって、前足固定電極センサー１と、後足固定電極センサー２と、計測するペットの情報を入力、装置の操作、計測中及び結果の表示等をするタッチパネル付モニター部４と、制御・演算・記憶・接続部５と、該タッチパネル付モニター３に表示された計測結果を印刷するプリンター部６を組込み・収納して構成するペットのストレス測定装置。
【請求項２】
犬，猫など小動物のストレスを計測する装置であって、前足固定電極センサー１と、後足固定電極センサー２との電極間に微弱電流を通して刺激する手段と、その電極間の生体ポテンシャルとして変換し、ペットのストレスとして演算する手段と、その演算結果と表示について判りやすくタッチパネル付モニター部４に表示する手段と、計測結果をプリンター部６で印刷する手段とを備えたことを特徴とするペットのストレス測定装置。
【請求項３】
犬，猫など小動物のストレスを計測する装置であって、前足固定電極センサー１と、後足固定電極センサー２との電極間に微弱電流を通して刺激する工程と、その電極間の生体ポテンシャルとして変換し、ペットのストレスとして演算する工程と、その演算結果と表示について判りやすくタッチパネル付モニター部４に表示する手段と、計測結果をプリンター部６で印刷する工程とを備えたことを特徴とするペットのストレス計測する方法。
【請求項４】
犬，猫など小動物のストレスを計測するための計測プログラムを記録した記録媒体であって、前足固定電極センサー１と、後足固定電極センサー２との電極間に微弱電流を通して刺激し、その電極間の生体ポテンシャルとして変換し、ペットのストレスとして演算する。次いで、その演算結果と表示について判りやすくタッチパネル付モニター部４に表示する。また、計測結果をプリンター部６で印刷する工程とを特徴とするペットのストレスを計測するプログラムを記録した記録媒体。
【発明の詳細な説明】
【技術分野】
【０００１】
本発明は犬、猫など小動物のストレスを計測するストレス測定装置に関するものである。
【背景技術】
【０００２】
近年、リストラの不安、年棒制度など成果主義の導入、終身雇用制度の崩壊など、雇用環境の急激な変化は、労働者のストレスを増幅させ、労働者の約７０％が強い不安・悩み・ストレスがある状況の中で、癒し効果を求めるために年々、ペットを飼う人が増加している。今後、団塊の世代が定年退職を迎え、この傾向は急増すると考えられている。一方近年、ペットは病気の症状も人間に似かよってきており、また、室内で飼われることが多く、ペットにとってもストレスが蓄積することが考えられる。今後、ペット市場は急激に増大するものと推測され、必ずやペット（犬，猫など小動物）のストレスを測定する装置は、市場で強く望まれるものと考える。
【０００３】
従来、人体のストレスを計測する装置として、一酸化窒素合成酵素活性を測定し、その測定値を指標とした方法（特開平０８−２６２０２５）、電極間に微弱な電流を流して皮膚の見かけ上の抵抗変化を調べる方法（特開平２００３−１９１２２、特開平２００５−０２１４１４）なども開示されているが、ペットのストレスを計測する装置はない。また、電極間に微弱な電流を流して皮膚の見かけ上の抵抗変化を調べる装置の原理は、１９８０年代に論文発表が数多く発表されている。
【０００４】
本発明者らは、総合的に健康を測定する装置（特願２００５−２４３８７５）、総合的に健康を測定する小型装置（特願２００５−２４７１９６）、総合的に健康を測定する装置のヘッド固定電極センサー（特願２００５−３５３０６２）、匂いおしぼり機能付健康測定装置（特願２００５−００４４５９）を出願している。
【非特許文献１】金井寛、臨床検査ｖｏｌ．２６、ｎｏ．４、１９８２年４月
【非特許文献２】William A. Tiller, American Journal of Acupuncture, Vol.15, No1, January-March 1987
【非特許文献３】財団法人機械システム振興協会、ストレス計測技術の安全対策への適用可能性に関する調査研究報告書、２００４年３月
【発明の開示】
【発明が解決しようとする課題】
【０００５】
人体のストレスを計測する装置は、数多くあるがペット（犬，猫など小動物）のストレスを計測する装置はない。将来、人間の病気の症状と似かよってくると推察されるペット（犬，猫など小動物）のストレス状態を飼い主が知りたいと思う状況がくるものと考える。
【０００６】
人体のストレス測定装置を提供していく中で、ユーザーからペット（犬，猫など小動物）のストレスを計測する装置が欲しいいう要望があった。
【課題を解決するための手段】
【０００７】
前記目的を達成するために本発明の装置は、前足固定電極センサー１と、後足固定電極センサー２との電極間に微弱電流を通して刺激し、その電極間の生体ポテンシャルとして変換後、独自のペット用のアルゴリズムによって、ストレス値として演算する。次いで、その演算結果と表示について判りやすくタッチパネル付モニター部４に表示する。さらに、計測結果をプリンター部６で印刷できるものとする。
【発明の効果】
【０００８】
本発明のペット（犬，猫など小動物）のストレス測定装置は上述の手段を講じることで、以下に記載されるような効果を奏する。
【０００９】
本発明の装置を使用し、簡単にペット（犬，猫など小動物）のストレスの計測をすることで、ペットの飼い主はペットの健康管理の指標として用いることが可能とする。
【００１０】
装置の操作方法、計測中、計測後の結果が判りやすいタッチパネル付モニター部によって、ペット（犬，猫など小動物）のストレス度合として分かり易く表示させ、ペットの飼い主に計測結果を踏まえた上で、今後のアドバイス・コメントも表示させることもできるようになる。
【発明を実施するための最良の形態】
【００１１】
本発明のストレス計測装置を図面に基づき具体的に説明する。図1は本発明の装置を示したものである。１は前足固定電極センサー、２は後足固定電極センサー、３はタッチパネル付モニター、４は制御・演算・記憶・接続部、５はプリンターである。
【００１２】
前記前足固定電極センサー１を前足に、前記後足固定電極センサー２を後足に取り付ける。前足と前足の場合は胸部、前足と後足の場合は左右の腹部、後足と後足の場合は下腹部の領域のストレスを計測する。
【実施例】
【００１３】
まず主電源のスイッチを投入し、タイトル画面を表示させる。次いで、ペット（犬，猫など小動物）の情報などを入力する。
【００１４】
前足固定電極センサーと後足固定電極センサーを肉球に接触させ、スタートボタンを押す。次いで、４個の前記電極センサー間のキャリブレーションを開始する。
【００１５】
前記電極間に微弱電流を与え、その該電極間の生体ポテンシャルとして変換後、独自のペット（犬，猫など小動物）用のアルゴリズムによって、ストレス値として演算する。
【００１６】
その演算結果と表示について判りやすくタッチパネル付モニター部に表示（測定者に結果を踏まえて今後のアドバイス・コメントを表示）する。また、計測結果をプリンター部で印刷させることができ、計測結果をもとにしてペットの飼い主は、ペット（犬，猫など小動物）に対して適切な対応を取ることができる。
【００１７】
演算結果は、制御・演算・記憶・接続部を通して記録媒体に保存することもできる。また、得られたペットデータは、前記制御・演算・記憶・接続部に接続することで、過去に計測された結果データを整理・処理することもでき、時系列的に前記タッチパネル付モニター３に表示することもできる。
【図面の簡単な説明】
【００１８】
【図１】本発明の装置の正面図である。
【符号の説明】
【００１９】
１  前足固定電極センサー
２  後足固定電極センサー
３  タッチパネル付モニター
４  制御・演算・記憶・接続部
５  プリンター
【図１】
2007252480.tif 000003